【手続補正書】
【提出日】平成16年1月19日(2004.1.19)
【手続補正１】
【補正対象書類名】明細書
【補正対象項目名】発明の名称
【補正方法】変更
【補正の内容】
【発明の名称】電気光学装置のデータ線駆動装置及びこれを用いた電気光学装置、電子機器、及びデータ線駆動信号の位相調整装置、並びにデータ線駆動信号の位相調整方法


【手続補正２】
【補正対象書類名】明細書
【補正対象項目名】特許請求の範囲
【補正方法】変更
【補正の内容】
【特許請求の範囲】
【請求項１】
画像信号が順次供給される複数のデータ線と、前記データ線と交差する複数の走査線と、前記複数のデータ線と前記複数の走査線の各交点に対応してマトリクス状に配置される画素とを有し、前記画素を順次駆動することにより表示を行う電気光学装置の駆動装置であって、下記の要素を備えることを特徴とする電気光学装置のデータ線駆動装置。
（ａ）前記画像信号を前記データ線に順次供給するために前記データ線を走査する走査クロックと、前記データ線の走査を開始する走査開始信号と、前記画像信号を前記データ線に供給するタイミングを規定するイネーブル信号とを出力するタイミング信号出力手段と、
（ｂ）前記タイミング信号出力手段から出力された前記走査クロックと前記イネーブル信号の位相を相互に調整可能な第１の調整手段と、前記第１の調整手段から出力される前記走査クロックと前記イネーブル信号の位相関係を維持したまま前記イネーブル信号と前記画像信号の位相を相互に調整可能な第２の調整手段とを有する位相調整手段と、
（ｃ）前記位相調整手段から出力される前記走査クロックと前記走査開始信号とにより前記データ線を走査するための走査信号を作成するデータ線走査手段を有し、前記データ線走査手段からの前記走査信号の出力期間であってかつ前記イネーブル信号の出力期間に限定して前記データ線を活性状態にするためのデータ線駆動信号を出力するデータ線駆動手段と、
（ｄ）前記データ線駆動手段からの前記データ線駆動信号に応じて前記画像信号を前記データ線に順次出力させるサンプリング手段。
【請求項２】
前記位相調整手段の第１の調整手段は、前記走査クロック又は前記イネーブル信号がそれぞれ入力され前記画素の１単位を駆動するドットクロック単位でシフトされる前記各入力信号毎に設けられたシフトレジスタと、当該各シフトレジスタの出力段をそれぞれ別個に選択可能な第１の選択手段とを有し、前記走査クロックと前記イネーブル信号のタイミングをドットクロック単位で調整可能な調整手段であり、
前記第２の調整手段は、前記走査クロック又は前記イネーブル信号がそれぞれ入力され前記画素の１単位を駆動するドットクロック単位でシフトされる前記各入力信号毎に設けられたシフトレジスタと、当該各シフトレジスタの共通の出力段を同時に選択可能な第２の選択手段とを有し、前記走査クロックと前記イネーブル信号のタイミングを維持したままドットクロック単位で調整可能な調整手段であることを特徴とする請求項１に記載の電気光学装置のデータ線駆動装置。
【請求項３】
前記第１及び第２の調整手段の前記シフトレジスタは、入力端子に前記走査信号又は前記イネーブル信号が接続され、その正出力端子が次段の入力端子に接続された複数段のフリップフロップで構成されており、前記ドットクロックにより動作するシフトレジスタであることを特徴とする請求項２に記載の電気光学装置のデータ線駆動装置。
【請求項４】
前記第１の調整手段は、前記走査クロック及び前記イネーブル信号に加えて、前記走査開始信号との相互のタイミングを調整することが可能な調整手段であり、
前記第２の調整手段は、前記第１の調整手段から出力される前記走査クロック、前記イネーブル信号及び前記走査開始信号のそれぞれの位相関係を維持したまま、前記イネーブル信号と前記画像信号の出力タイミングを調整可能な調整手段であることを特徴とする請求項１、２又は３記載の電気光学装置のデータ線駆動装置。
【請求項５】
請求項１、２、３又は４のいずれかの項に記載の電気光学装置のデータ線駆動装置を備えることを特徴とする電気光学装置。
【請求項６】
請求項１、２、３又は４のいずれかの項に記載の電気光学装置のデータ線駆動装置を備えることを特徴とする電子機器。
【請求項７】
画像信号が順次供給される複数のデータ線と、前記データ線と交差する複数の走査線と有し、前記複数のデータ線と前記複数の走査線の各交点に対応して配置されるマトリクス状の画素を駆動することにより表示を行う電気光学装置の駆動装置のデータ線制御信号の位相を調整する装置であって、
（ａ）前記画像信号を前記データ線に順次供給するために前記データ線を走査する走査クロックと、前記データ線の走査を開始する走査開始信号と、前記画像信号を前記データ線に供給するタイミングを規定するイネーブル信号とを出力するタイミング信号出力手段と、
（ｂ）前記タイミング信号出力手段から出力された前記走査クロックと前記イネーブル信号の位相を相互に調整可能な第１の調整手段と、前記第１の調整手段から出力される前記走査クロックと前記イネーブル信号の位相関係を維持したまま前記イネーブル信号と前記画像信号の位相を相互に調整可能な第２の調整手段とを有する位相調整手段と、
（ｃ）前記位相調整手段から出力される前記走査クロックと前記走査開始信号とにより前記データ線を走査するための走査信号を作成するデータ線走査手段を有し、前記データ線走査手段からの前記走査信号の出力期間であってかつ前記イネーブル信号の出力期間に限定して前記データ線を活性状態にするためのデータ線駆動信号を出力するデータ線駆動手段と、
（ｄ）前記データ線駆動手段からの前記データ線駆動信号に応じて前記画像信号を前記データ線に順次出力させるサンプリング手段と、を備えたことを特徴とする電気光学装置のデータ線駆動制御信号の位相調整装置。
【請求項８】
画像信号が順次供給される複数のデータ線と、前記データ線と交差する複数の走査線と有し、前記複数のデータ線と前記複数の走査線の各交点に対応して配置されるマトリクス状の画素を駆動することにより表示を行う電気光学装置の駆動装置のデータ線制御信号の位相を調整する方法であって、
（ａ）前記画像信号を前記データ線に順次供給するために前記データ線を走査する走査クロックと、前記データ線の走査を開始する走査開始信号と、前記画像信号を前記データ線に供給するタイミングを規定するイネーブル信号とを作成するステップと、
（ｂ）前記走査クロックと前記イネーブル信号の位相を調整するステップと、
（ｃ）調整した前記走査クロックと前記イネーブル信号の相互の位相関係を維持したまま、前記イネーブル信号と前記画像信号の出力タイミングを調整するステップと、
（ｄ）調整した前記イネーブル信号、前記走査クロック及び前記画像信号をデータ線を走査駆動するデータ線駆動手段に供給するステップと、を備えたことを特徴とする電気光学装置のデータ線駆動制御信号の位相調整方法。
【手続補正３】
【補正対象書類名】明細書
【補正対象項目名】００１７
【補正方法】変更
【補正の内容】
【００１７】
本発明の第６の態様は前記態様１、２、３または４のいずれかの態様に記載の電気光学装置のデータ線駆動装置を備えることを特徴とする電子機器である。


【手続補正４】
【補正対象書類名】明細書
【補正対象項目名】００１９
【補正方法】変更
【補正の内容】
【００１９】
本発明の第７の態様は、画像信号が順次供給される複数のデータ線と、前記データ線と交差する複数の走査線と有し、前記複数のデータ線と前記複数の走査線の各交点に対応して配置されるマトリクス状の画素を駆動することにより表示を行う電気光学装置の駆動装置のデータ線制御信号の位相を調整する装置であって、（ａ）前記画像信号を前記データ線に順次供給するために前記データ線を走査する走査クロックと、前記データ線の走査を開始する走査開始信号と、前記画像信号を前記データ線に供給するタイミングを規定するイネーブル信号とを出力するタイミング信号出力手段と、（ｂ）前記タイミング信号出力手段から出力された前記走査クロックと前記イネーブル信号の位相を相互に調整可能な第１の調整手段と、前記第１の調整手段から出力される前記走査クロックと前記イネーブル信号の位相関係を維持したまま前記イネーブル信号と前記画像信号の位相を相互に調整可能な第２の調整手段とを有する位相調整手段と、（ｃ）前記位相調整手段から出力される前記走査クロックと前記走査開始信号とにより前記データ線を走査するための走査信号を作成するデータ線走査手段を有し、前記データ線走査手段からの前記走査信号の出力期間であってかつ前記イネーブル信号の出力期間に限定して前記データ線を活性状態にするためのデータ線駆動信号を出力するデータ線駆動手段と、（ｄ）前記データ線駆動手段からの前記データ線駆動信号に応じて前記画像信号を前記データ線に順次出力させるサンプリング手段と、を備えたことを特徴とする電気光学装置のデータ線駆動制御信号の位相調整装置である。
本発明の第８の態様は、画像信号が順次供給される複数のデータ線と、前記データ線と交差する複数の走査線と有し、前記複数のデータ線と前記複数の走査線の各交点に対応して配置されるマトリクス状の画素を駆動することにより表示を行う電気光学装置の駆動装置のデータ線制御信号の位相を調整する方法であって、前記画像信号を前記データ線に順次供給するために前記データ線を走査する走査クロックと、前記データ線の走査を開始する走査開始信号と、前記画像信号を前記データ線に供給するタイミングを規定するイネーブル信号とを作成するステップと、前記走査クロックと前記イネーブル信号の位相を調整するステップと、調整した前記走査クロックと前記イネーブル信号の相互の位相関係を維持したまま、前記イネーブル信号と前記画像信号の出力タイミングを調整するステップと、調整した前記イネーブル信号、前記走査クロック及び前記画像信号をデータ線を走査駆動するデータ線駆動手段に供給するステップと、を備えたことを特徴とする電気光学装置のデータ線駆動制御信号の位相調整方法である。


【手続補正５】
【補正対象書類名】明細書
【補正対象項目名】００２０
【補正方法】変更
【補正の内容】
【００２０】
本発明の第７の態様及び本発明の第８の態様により、イネーブル信号とシフトクロックの位相関係が異常な場合であっても、まずイネーブル信号とシフトクロックの位相関係を調整し、その後その調整後のシフトクロックとイネーブル信号の位相関係を維持したままイネーブル信号と画像信号の位相を調整することが可能となり、制御信号全体の位相の適切な調整が可能となった。